(57)【要約】【課題】  ダビングの成否をユーザが確認できるようにする。【解決手段】  カメラ１０は、記録媒体２０から指定された画像データを再生し、コンピュータ５０に転送する。記録再生装置５８はカメラ１０からの画像データを記録媒体５６に記録する。ベリファイ処理により記録媒体５６への記録の成否を確認する。制御装置５８は記録の成否をカメラ１０に転送する。制御装置３０は、コンピュータ５０による記録の成否を、記録媒体２０の記録画像のサムネイル表示画面上に表示する。【選択図】  図１
2007336212.tif 000002
【特許請求の範囲】
【請求項１】
再生装置の第１の記録媒体から記録装置の第２の記録媒体に情報を複製する方法であって、
当該再生装置において、当該第１の記録媒体に記録される情報を再生する再生ステップと、
再生された当該情報を当該再生装置から当該記録装置に転送する転送ステップと、
当該記録装置において、当該再生装置からの当該情報を当該第２の記録媒体に記録する記録ステップと、
当該記録装置において、ベリファイ処理により当該第２の記録媒体への記録の成否を確認する確認ステップと、
当該確認ステップの確認結果を当該記録装置から当該再生装置に転送する確認結果転送ステップと、
当該再生装置において、当該確認結果を表示する表示ステップ
とを具備することを特徴とする情報複製方法。
【請求項２】
再生装置の第１の記録媒体から記録装置の第２の記録媒体に情報を複製する方法であって、
当該再生装置において、当該第１の記録媒体に記録される情報を再生する再生ステップと、
再生された当該情報のチェックサムを算出する第１のチェックサム算出ステップと、
再生された当該情報を当該再生装置から当該記録装置に転送する転送ステップと、
当該記録装置において、当該再生装置からの当該情報を当該第２の記録媒体に記録する記録ステップと、
当該記録装置において、当該第２の記録媒体から当該情報を再生し、そのチェックサムを算出する第２のチェックサム算出ステップと、
当該第１及び第２のチェックサム算出ステップで算出されるチェックサムを照合することにより、複製の成功を確認する複製確認ステップと、
当該再生装置において、当該複製確認ステップの確認結果を表示する表示ステップ
とを具備することを特徴とする情報複製方法。
【請求項３】
当該複製確認ステップが、
当該第２のチェックサム算出ステップで算出されるチェックサムを当該記録装置から当該再生装置に転送し、
当該再生装置において、当該第１及び第２のチェックサム算出ステップで算出されるチェックサムを照合する
ことを特徴とする請求項２に記載の情報複製方法。
【請求項４】
当該複製確認ステップが、
当該第１のチェックサム算出ステップで算出されるチェックサムを当該再生装置から当該記録装置に転送し、
当該記録装置において、当該第１及び第２のチェックサム算出ステップで算出されるチェックサムを照合し、
照合結果を当該記録装置から当該再生装置に転送する
ことを特徴とする請求項２に記載の情報複製方法。
【請求項５】
当該情報が画像情報及び音声情報の少なくとも一方を含むことを特徴とする請求項１乃至４の何れか１項に記載の情報複製方法。
【請求項６】
再生装置の第１の記録媒体から記録装置の第２の記録媒体に情報を複製するシステムであって、
当該再生装置が、
当該第１の記録媒体に記録される情報を再生する再生手段と、
当該第１の記録媒体から再生された当該情報を当該記録装置に転送する転送手段と、
当該再生装置からの記録の成否を示す制御信号を受信する受信手段と、
当該制御信号による記録の成否を表示する表示手段
とを具備し、
当該記録装置が、
当該再生装置からの当該情報を当該第２の記録媒体に記録する記録手段と、
ベリファイ処理により当該第２の記録媒体への記録の成否を確認する確認手段と、
当該確認手段の確認結果に従い、記録の成否を示す当該制御信号を当該再生装置に送信する確認結果送信手段
とを具備することを特徴とする情報複製システム。
【請求項７】
第１の記録媒体から第２の記録媒体に情報を複製するシステムであって、
当該第１の記録媒体に記録される情報を再生する再生手段と、
当該第１の記録媒体から再生された当該情報のチェックサムを算出する第１のチェックサム算出手段と、
当該第１の記録媒体から再生された当該情報を当該第２の記録媒体に記録する記録手段と、
当該第２の記録媒体から当該情報を再生し、そのチェックサムを算出する第２のチェックサム算出手段と、
当該第１及び第２のチェックサム算出手段で算出されるチェックサムを照合することにより、複製の成否を確認する複製確認手段と、
当該第１の記録媒体に記録される情報の表示画面上で、当該複製の成否を表示する表示手段
とを具備することを特徴とする情報複製システム。
【請求項８】
当該情報が画像情報及び音声情報の少なくとも一方を含むことを特徴とする請求項６又は７に記載の情報複製システム。
【発明の詳細な説明】
【技術分野】
【０００１】
本発明は、画像データ又は音声データ等の情報を確実に複製する方法及びシステムに関する。
【背景技術】
【０００２】
近年、記録媒体は記録容量の増大化と低価格化が進行し、パーソナルコンピュータだけではなく、様々な電子機器に搭載されるようになってきた。例えば、携帯型の電子カメラ、据え置き型のハードディスクレコーダ、及び、静止画像や動画像を記録する装置等が商品化されている。
【０００３】
しかし、記録容量は有限であるので、容量不足になると、他の記録媒体に情報を複製した上で元の記録媒体上の情報を消去しなければならない。このような複製に関する技術が、特許文献１及び２に記載されている。
【０００４】
特許文献１では、少なくとも２個以上の記録媒体を備えており、各媒体間で情報の複製処理を行うことが可能である。複製を行う場合には、サムネイル表示と呼ばれる各情報ファイルの代表縮小画像一覧表示から複製を希望する複製元の画像を選択し、選択した画像を複製先に転送する。このサムネイル表示時には、動画と静止画が混在して配置される場合があり、その中から自動的に静止画を選択して、複製処理を行うものである。
【０００５】
また、特許文献２では、映像再生・記録装置に搭載されている第一の記録媒体から、その装置とは別の装置に搭載されている第二の記録媒体、例えばパーソナルコンピュータに搭載されているハードディスクに情報を複製する場合、パーソナルコンピュータのモニタ画面上で第一記録媒体から複製希望情報を選択し、選択した情報を第二記録媒体に転送するものがある。
【０００６】
さらに、デジタルカメラから外部の装置に搭載されている記録媒体にダビングを行う場合、情報の転送開始や転送終了をダビング先又はダビング元の機器が認識し、転送済み又は未転送をユーザに通知する機能を具備した装置がある。
【特許文献１】特開２００４−２２２０６３号公報
【特許文献２】特開２００４−１８７２７８号公報
【発明の開示】
【発明が解決しようとする課題】
【０００７】
しかし、従来の技術では、記録の成功又は失敗を確認する術が提供されていない。データを移動する場合、転送完了情報に基づいて複製元のデータが自動的に消去されることがあるので、しばしば、データ移動の失敗に繋がる。
【０００８】
そこで、本発明は、転送先の記録媒体への確実な記録を確認できる情報複製方法及びシステムを提示することを目的とする。
【課題を解決するための手段】
【０００９】
上記の目的達成のために、本発明に係る情報複製方法は、再生装置の第１の記録媒体から記録装置の第２の記録媒体に情報を複製する方法であって、当該再生装置において、当該第１の記録媒体に記録される情報を再生する再生ステップと、再生された当該情報を当該再生装置から当該記録装置に転送する転送ステップと、当該記録装置において、当該再生装置からの当該情報を当該第２の記録媒体に記録する記録ステップと、当該記録装置において、ベリファイ処理により当該第２の記録媒体への記録の成否を確認する確認ステップと、当該確認ステップの確認結果を当該記録装置から当該再生装置に転送する確認結果転送ステップと、当該再生装置において、当該確認結果を表示する表示ステップとを具備することを特徴とする。
【００１０】
本発明に係る情報複製方法は、再生装置の第１の記録媒体から記録装置の第２の記録媒体に情報を複製する方法であって、当該再生装置において、当該第１の記録媒体に記録される情報を再生する再生ステップと、再生された当該情報のチェックサムを算出する第１のチェックサム算出ステップと、再生された当該情報を当該再生装置から当該記録装置に転送する転送ステップと、当該記録装置において、当該再生装置からの当該情報を当該第２の記録媒体に記録する記録ステップと、当該記録装置において、当該第２の記録媒体から当該情報を再生し、そのチェックサムを算出する第２のチェックサム算出ステップと、当該第１及び第２のチェックサム算出ステップで算出されるチェックサムを照合することにより、複製の成功を確認する複製確認ステップと、当該再生装置において、当該複製確認ステップの確認結果を表示する表示ステップとを具備することを特徴とする。
【００１１】
本発明に係る情報複製システムは、再生装置の第１の記録媒体から記録装置の第２の記録媒体に情報を複製するシステムであって、当該再生装置が、当該第１の記録媒体に記録される情報を再生する再生手段と、当該第１の記録媒体から再生された当該情報を当該記録装置に転送する転送手段と、当該再生装置からの記録の成否を示す制御信号を受信する受信手段と、当該制御信号による記録の成否を表示する表示手段とを具備し、当該記録装置が、当該再生装置からの当該情報を当該第２の記録媒体に記録する記録手段と、ベリファイ処理により当該第２の記録媒体への記録の成否を確認する確認手段と、当該確認手段の確認結果に従い、記録の成否を示す当該制御信号を当該再生装置に送信する確認結果送信手段とを具備することを特徴とする。
【００１２】
本発明に係る情報複製システムは、第１の記録媒体から第２の記録媒体に情報を複製するシステムであって、当該第１の記録媒体に記録される情報を再生する再生手段と、当該第１の記録媒体から再生された当該情報のチェックサムを算出する第１のチェックサム算出手段と、当該第１の記録媒体から再生された当該情報を当該第２の記録媒体に記録する記録手段と、当該第２の記録媒体から当該情報を再生し、そのチェックサムを算出する第２のチェックサム算出手段と、当該第１及び第２のチェックサム算出手段で算出されるチェックサムを照合することにより、複製の成否を確認する複製確認手段と、当該第１の記録媒体に記録される情報の表示画面上で、当該複製の成否を表示する表示手段とを具備することを特徴とする。
【発明の効果】
【００１３】
本発明によれば、ベリファイ又はチェックサムを用いて記録状況をチェックするので、第１の記録媒体から第２の記録媒体へのダビングの成否を確認できる。
【発明を実施するための最良の形態】
【００１４】
以下、図面を参照して、本発明の実施例を詳細に説明する。
【実施例１】
【００１５】
図１は、本発明の実施例１の概略構成ブロック図である。デジタルビデオカメラやデジタルカメラからパーソナルコンピュータに画像データを転送する複製システムであって、カメラ１０が再生装置として機能し、コンピュータ５０が記録装置として機能する。ただし、実線は画像データの流れを示し、破線は制御信号を示す。
【００１６】
カメラ１０は、撮像ユニット１２、信号処理装置１４、圧縮装置１６、記録再生装置１８、記録媒体２０、伸長装置２２、表示制御装置２４、表示装置２６、Ｉ／Ｆ（インターフェース）２８、制御装置３０、操作装置３２及びメモリ３４を具備する。
【００１７】
撮像ユニット１２は光学レンズ、ＣＣＤ（Charge Coupled Devices）又はＣＭＯＳ（Complementary Metal Oxide Semiconductor）等の撮像素子、オートフォーカス機構、ズーム機構及びＡ／Ｄ変換器等からなり、被写体の光学像を電気信号に変換し、デジタル画像信号を出力する。
【００１８】
信号処理装置１４は、撮像ユニット１２からのデジタル画像信号にカメラで周知の信号処理（例えば、ガンマ補正、色バランス調整、輝度／色分離）等を施す。
【００１９】
圧縮装置１６は、ＭＰＥＧ（Moving Picture Experts Group phase）２、Ｍｏｔｉｏｎ  ＪＰＥＧ又はＪＰＥＧ２０００等の画像圧縮方式でデジタル画像信号を圧縮符号化し、圧縮画像データを生成する。
【００２０】
記録再生装置１８は、圧縮装置１６からの圧縮画像データを記録媒体２０に記録し、記録媒体２０に記録された圧縮画像データを再生する。記録再生装置１８はまた、記録媒体２０に記録される圧縮画像データのサムネイル画像も生成し、記録媒体２０に記録する。記録媒体２０は、不揮発性半導体メモリ、ＨＤＤ（Hard Disk Drive）等の磁気ディスク、又はＤＶＤ（Digital Versatile Disk）等に準拠する記録再生可能な光ディスクからなる。
【００２１】
伸長装置２２は、記録再生装置１８からの圧縮画像データを伸長して、元の画像データを復元する。表示制御装置２４は、信号処理装置１４からのカメラ画像信号又は伸長装置２２からの再生画像信号を受けて、表示装置２４に印加する。また、表示制御装置２４は、文字ベースのインターフェース、即ち、ＣＵＩ（Character-based User Interface）又はグラフィックベースのインターフェース、即ちＧＵＩ（Graphical User Interface）のメニュー画像信号を生成して、表示装置２６に印加する。これにより、撮像中又は記録中の画像、再生画像、及び種々のメニュー画面が、表示装置２４の画面に表示可能である。表示装置２４は、例えばＬＣＤ（液晶表示パネル）からなる。
【００２２】
Ｉ／Ｆ２８は、ＩＥＥＥ（Institute of Electrical and Electronic Engineers）１３９４又はＵＳＢ（Universal Serial Bus）等であり、コンピュータ５０との間で画像データを含む種々のデータをやり取りできる。制御装置３０は、記録媒体２０の記録再生に関して記録再生装置１８を制御し、表示装置２６のメニュー画面表示に関して表示制御装置２４を制御する。
【００２３】
操作装置３２は、動画撮影スイッチ、レリーズスイッチ、ダビングスイッチ、再生スイッチ及び停止スイッチを具備し、ユーザがこれらを操作することで、動画撮影、静止画像撮影、カメラ１０の記録媒体２０からコンピュータ５０の記録媒体５６への画像データの複製等を、制御装置３０に指示する。操作装置３２は、更に、メニューキー、十字キー及び決定キーを具備し、ユーザはこれらを使って、メニュー画面の表示、選択及び決定を制御装置３０に指示する。
【００２４】
メモリ３４は、制御装置３０のプログラム及び固定パラメータを記憶するＲＯＭ（Read Only Memory）と、一時データを記憶し、制御装置３０のワークメモリとなるＲＡＭ（Random Access Memory）等で構成されている。
【００２５】
次に、コンピュータ５０の構成と動作を説明する。コンピュータ５０は、Ｉ／Ｆ５２、記録再生装置５４、記録媒体５６、制御装置５８、メモリ６０及びエラー検出装置６２を具備する。
【００２６】
Ｉ／Ｆ５２はインターフェース２８と接続して、カメラ１０からの画像データを受信し、また、カメラ１０とコンピュータ５０との間の複製のための制御信号を仲立ちする。記録再生装置５４は、インターフェース５２からの記録媒体５６に記録すべきデータを記録媒体５６に記録し、記録媒体５６に記録されたデータの指定されたデータを再生する。制御装置５８は、コンピュータ５０の全体を制御する。エラー検出装置６２は、カメラ１０からの画像データの受信エラー、及び記録媒体５６への記録のエラーを検出する。
【００２７】
カメラ１０の基本動作を説明する。撮像モードでは、撮像ユニット１２は、被写体の光学像に対応する画像データを出力する。信号処理装置１４は、撮像ユニット１２の出力画像データに周知のカメラ信号処理を施し、カメラ画像信号を生成する。そして、カメラ画像信号は、表示制御装置２４を介して表示装置２６に印加される。これにより、ユーザは、被写体と構図を確認できる。
【００２８】
記録モードでは、圧縮装置１６は信号処理装置１４からの画像データを圧縮符号化し、圧縮画像データを記録再生装置１８に転送する。記録再生装置１８は、圧縮画像データを記録媒体２０に記録する。このようにして、撮影された画像の圧縮画像データが記録媒体２０に格納される。
【００２９】
再生モードでは、記録再生装置１８は、記録媒体２０から指定の画像の圧縮画像データを読み出し、伸長装置２２に転送する。伸長装置２２は、記録再生装置１８からの圧縮画像データを伸長して画像データを復元する。復元された画像データは、表示制御装置２４を介して表示装置２６に印加される。これにより、再生画像が表示装置２６の画面に表示される。
【００３０】
次に、本実施例で、カメラ１０からコンピュータ５０に画像データを複製する動作を説明する。図２は本実施例１におけるダビング動作を示すフローチャートであり、図３はサムネイル画像一覧である。
【００３１】
再生モードで、記録再生装置１８は、記録媒体２０からサムネイル画像を読み出し、制御装置３０に印加する。制御装置３０はサムネイル画像を表示制御装置２４に印加し、表示制御装置２４が表示装置２６にサムネイル画像を表示する（Ｓ１０）。この状態で、ユーザは、メニューキー、十字キー又は選択キーを用いてダビング先とダビングする画像を選択する（Ｓ１１）。ここでは、コンピュータ５０のみが選択可能であるので、コンピュータ５０が選択される。
【００３２】
ダビングスイッチが押されると、記録再生装置１８は、記録媒体２０からＳ１１で選択された画像の圧縮画像データを読み出し、Ｉ／Ｆ２８を介してコンピュータ５０に転送する（Ｓ１２）。
【００３３】
コンピュータ５０のＩ／Ｆ５２は、Ｉ／Ｆ２８からの圧縮画像データを受信し（Ｓ１３）、記録再生装置５４に転送する。記録再生装置５４は、圧縮画像データを記録媒体５６に記録しつつ、同時に、いわゆるベリファイ処理により記録エラーの有無を確認する（Ｓ１４）。エラー検出装置６２はまた、カメラ１０からコンピュータ５０への転送のエラーの有無を検出する。そして、選択された画像の全圧縮画像データが記録媒体５６に記録されると（Ｓ１５）、制御装置５８は、記録エラー及び転送エラーの有無を確認する（Ｓ１６）。
【００３４】
制御装置５８は、エラーが無い場合（Ｓ１６）、記録成功を示す制御信号をＩ／Ｆ５２を介してカメラ１０に送信し（Ｓ１７）、エラーがある場合（Ｓ１６）、記録失敗を示す制御信号をＩ／Ｆ５２を介してカメラ１０に送信する（Ｓ１８）。
【００３５】
カメラ１０の制御装置３０は、記録成功を示す制御信号（Ｓ１７）を受信すると、ダビングした圧縮画像データは、記録媒体２０から削除可能になる（Ｓ１９）。削除して良い場合、制御装置３０は、記録再生装置１８に指示して、ダビングした画像データを削除させる。制御装置３０はまた、表示制御装置２４に指示して、ダビングした画像のサムネイル画像を「転送済み」を示す文字又はマークなどに変更させる（Ｓ２０）。
【００３６】
カメラ１０の制御装置３０が、記録失敗を示す制御信号（Ｓ１８）を受信すると、表示制御装置２４に指示して、ダビングした画像のサムネイル画像を「未転送」（又は転送失敗）を示す文字又はマークなどに変更させるか、又は、元のサムネイル画像に「未転送」（又は転送失敗）を示す文字又はマークなどを重畳表示させる（Ｓ２０）。
【００３７】
このように、本実施例では、記録装置側で記録のベリファイ処理を実行し、転送エラーを検出するようにしたので、確実に複製記録されたかどうかを確認できる。また、確実な複製記録が確認できたときのみに、複製元のデータを削除するので、データ移動の失敗を防止できる。
【００３８】
なお、本実施例では、ダビングの結果を文字で表示していたが、サムネイルの枠の色で区別してもよいし、サムネイル画像自信の色を変化させる又は反転させることで、ダビング結果を表示するようにしてもよい。
【００３９】
また、サムネイル画像に重ねて又は隣接して、「ダビング中」、「ダビング失敗」及び「ダビング成功」のいずれかを表示してもよい。
【実施例２】
【００４０】
図４は、本発明の実施例２の概略構成ブロック図を示す。図５は、実施例２のダビング時の動作フローチャートを示す。図１と同じ機能の構成要素には、同じ符号を付してある。
【００４１】
この実施例では、記録装置は、再生装置からのデータを記録媒体に記録してから再生してチェックサムを計算し、再生装置に送信する。再生装置は送信の際に予め作成しておいたチェックサムと、記録装置からのチェックサムを比較して、複製の成否を判定する。図１と同じ機能の構成要素には、同じ符号を付してある。
【００４２】
図５を参照して、本実施例の特徴部分の動作を説明する。再生モードで、記録再生装置１８は、記録媒体２０からサムネイル画像を読み出し、制御装置１３０に印加する。制御装置１３０はサムネイル画像を表示制御装置２４に印加し、表示制御装置２４が表示装置２６にサムネイル画像を表示する（Ｓ４０）。この状態で、ユーザは、メニューキー、十字キー又は選択キーを用いてダビング先とダビングする画像を選択する（Ｓ４１）。ここでは、コンピュータ１５０のみが選択可能であるので、コンピュータ１５０が選択される。
【００４３】
ダビングスイッチが押されると、記録再生装置１８は、記録媒体２０からＳ４１で選択された画像の圧縮画像データを読み出し、Ｉ／Ｆ２８を介してコンピュータ１５０に転送する（Ｓ４２）。同時に、記録再生装置１８は、コンピュータ１５０に転送する圧縮画像データを制御装置１３０にも供給する。制御装置１３０は、内蔵するチェックサム生成装置１３６を使って、コンピュータ１５０に転送する圧縮画像データのチェックサムを計算し、メモリ３４に記憶する（Ｓ４２）。
【００４４】
コンピュータ１５０のＩ／Ｆ５２は、Ｉ／Ｆ２８からの圧縮画像データを受信し（Ｓ４３）、記録再生装置１５４に転送する。記録再生装置１５４は、圧縮画像データを記録媒体５６に記録する（Ｓ４４）。選択された画像の全圧縮画像データが記録媒体５６に記録されると（Ｓ４５）、記録再生装置１５４は、記録したばかりの圧縮画像データを再生し、制御装置１５８に供給する。制御装置１５８のチェックサム生成装置１６２が、再生された圧縮画像データのチェックサムを計算する（Ｓ４６）。制御装置１５８は、計算されたチェックサムをＩ／Ｆ５２を介してカメラ１１０に送信する（Ｓ４７）。
【００４５】
カメラ１１０の制御装置１３０は、コンピュータ１５０からのチェックサムと、送信の際に計算したチェックサムとを照合する（Ｓ４８）。両者が一致する場合（Ｓ４９）、ダビングが成功したことになるので、ダビングした圧縮画像データを記録媒体２０から削除可能になる（Ｓ５０）。削除して良い場合、制御装置１３０は、記録再生装置１８に指示して、ダビングした画像データを削除させる。制御装置１３０はまた、表示制御装置２４に指示して、ダビングした画像のサムネイル画像を「転送済み」を示す文字又はマークなどに変更させる（Ｓ５１）。
【００４６】
両チェックサムが不一致であれば（Ｓ４９）、ダビングが失敗したことになる。この場合、制御装置１３０は、表示制御装置２４に指示して、ダビングした画像のサムネイル画像を「未転送」（又は転送失敗）を示す文字又はマークなどに変更させるか、又は、元のサムネイル画像に「未転送」（又は転送失敗）を示す文字又はマークなどを重畳表示させる（Ｓ５１）。
【００４７】
このように、本実施例では、再生側でのチェックサムと、記録装置で記録したデータを再生して計算したチェックサムとを照合することにより、確実にデータが複製記録されたかどうかを確認できる。また、確実な複製記録が確認できたときのみに、複製元のデータを削除するので、データ移動の失敗を防止できる。
【実施例３】
【００４８】
実施例２では、再生装置（カメラ１１０）の側でチェックサムを照合したが、記録装置の側でチェックサムを照合しても良い。
【００４９】
図６は、そのように変更した実施例３の概略構成ブロック図を示し、図７は、実施例３のダビング時の動作フローチャートを示す。図４と同じ機能の構成要素には、同じ符号を付してある。
【００５０】
図７を参照して、本実施例の特徴部分の動作を説明する。再生モードで、記録再生装置１８は、記録媒体２０からサムネイル画像を読み出し、制御装置２３０に印加する。制御装置２３０はサムネイル画像を表示制御装置２４に印加し、表示制御装置２４が表示装置２６にサムネイル画像を表示する（Ｓ６０）。この状態で、ユーザは、メニューキー、十字キー又は選択キーを用いてダビング先（とダビングする画像を選択する（Ｓ６１）。ここでは、コンピュータ２５０のみが選択可能であるので、コンピュータ２５０が選択される。
【００５１】
ダビングスイッチが押されると、記録再生装置１８は、記録媒体２０からＳ６１で選択された画像の圧縮画像データを読み出し、Ｉ／Ｆ２８を介してコンピュータ２５０に転送する（Ｓ６２）。同時に、記録再生装置１８は、コンピュータ２５０に転送する圧縮画像データを制御装置２３０にも供給する。制御装置２３０は、内蔵するチェックサム生成装置１３６を使って、コンピュータ２５０に転送する圧縮画像データのチェックサムを計算し、Ｉ／Ｆ２８からコンピュータ２５０に送信する（Ｓ６２）。
【００５２】
コンピュータ２５０のＩ／Ｆ５２は、Ｉ／Ｆ２８からの圧縮画像データとチェックサムを受信し（Ｓ６３）、データを記録再生装置１５４に転送し、チェックサムを制御装置２５８に転送する。記録再生装置１５４は、圧縮画像データを記録媒体５６に記録する（Ｓ６４）。選択された画像の全圧縮画像データが記録媒体５６に記録されると（Ｓ６５）、記録再生装置１５４は、記録したばかりの圧縮画像データを再生し、制御装置２５８に供給する。制御装置２５８のチェックサム生成装置１６２が、再生された圧縮画像データのチェックサムを計算する（Ｓ６６）。
【００５３】
制御装置２５８は、再生データから計算されたチェックサムと、カメラ２１０から送信されたチェックサムとを照合する（Ｓ６７）。両チェックサムが一致する場合（Ｓ６８）、ダビングが成功したことになるので、制御装置２５８は、記録成功を示す制御信号をカメラ２１０に送信する（Ｓ６９）。両チェックサムが一致しない場合（Ｓ６８）、ダビングが失敗したことになるので、制御装置２５８は、記録失敗を示す制御信号をカメラ２１０に送信する（Ｓ７０）。
【００５４】
カメラ２１０が記録成功を示す制御信号をコンピュータ２５０から受信する場合、ダビングした圧縮画像データが、記録媒体２０から削除可能になる（Ｓ７１）。削除して良い場合、制御装置２３０は、記録再生装置１８に指示して、ダビングした画像データを削除させる。制御装置２３０はまた、表示制御装置２４に指示して、ダビングした画像のサムネイル画像を「転送済み」を示す文字又はマークなどに変更させる（Ｓ７２）。
【００５５】
カメラ２１０が、記録失敗を示す制御信号をコンピュータ２５０から受信する場合、先に説明したように、ダビングが失敗したことになる。この場合、制御装置２３０は、表示制御装置２４に指示して、ダビングした画像のサムネイル画像を「未転送」（又は転送失敗）を示す文字又はマークなどに変更させるか、又は、元のサムネイル画像に「未転送」（又は転送失敗）を示す文字又はマークなどを重畳表示させる（Ｓ７２）。
【００５６】
このように、本実施例では、再生側でのチェックサムと、記録装置で記録したデータを再生して計算したチェックサムとを照合することにより、確実にデータが複製記録されたかどうかを確認できる。また、確実な複製記録が確認できたときのみに、複製元のデータを削除するので、データ移動の失敗を防止できる。
【００５７】
上記各実施例では、画像を複製又は移動するシステムを例示したが、音声、音楽又はテキスト等の種々のデータを複製又は移動する場合にも適用可能であることは明らかである。また、再生装置の一例としてデジタルビデオカメラを示したが、その他の再生装置、例えば、ハードディスク又は光ディスクを記録媒体とする画像再生装置であっても良い。
【図面の簡単な説明】
【００５８】
【図１】本発明の実施例１の概略構成ブロック図である。
【図２】実施例１のダビング動作を示すフローチャートである。
【図３】サムネイル画像一覧の表示例である。
【図４】本発明の実施例２の概略構成ブロック図である。
【図５】実施例２のダビング動作を示すフローチャートである。
【図６】本発明の実施例３の概略構成ブロック図である。
【図７】実施例３のダビング動作を示すフローチャートである。
【符号の説明】
【００５９】
１０，１１０，２１０  カメラ
１２  撮像装置
１４  信号処理装置
１６  圧縮装置
１８  記録再生装置
２０  記録媒体
２２  伸長装置
２４  表示制御装置
２６  表示装置
２８  Ｉ／Ｆ（インターフェース）
３０，１３０，２３０  制御装置
３２  操作装置
３４  メモリ
５０，１５０，２５０  コンピュータ
５２  Ｉ／Ｆ
５４，１５４  記録再生装置
５６  記録媒体
５８，１５８，２５８  制御装置
６０  メモリ
６２  エラー検出装置
１６２  チェックサム生成装置
【図１】
2007336212.tif 000003
【図２】
2007336212.tif 000004
【図３】
2007336212.tif 000005
【図４】
2007336212.tif 000006
【図５】
2007336212.tif 000007
【図６】
2007336212.tif 000008
【図７】
2007336212.tif 000009